(57)【特許請求の範囲】
【請求項１】
フロントフレームに光学ブロックを取り付け、前記光学ブロックの光軸周りの傾斜を、偏心ピンを用いて調整する放送用のポータブルカメラの画像傾斜調整機構において、
前記光学ブロックに対して前記光軸周りに固定されるローテーション調整板と、
前記ローテーション調整板を挟み、前記フロントフレームに対して前記光軸周りに固定される調整板固定プレートと、
偏心した回転ピン部を有する偏心ピンと、
前記偏心ピンが嵌めこまれる偏心ピン嵌めこみ穴を有し、前記フロントフレームの側面に設けられる偏心ピン固定板と、
光軸方向に長く前記偏心ピンの前記回転ピン部が嵌めこまれる偏心ピン可動穴を有し、前記ローテーション調整板の側面に設けられる偏心ピン可動板と、
を有し、
前記ローテーション調整板は、前記調整板固定プレートを挟み込んだ状態で、前記調整板固定プレートを光軸周りの回転方向に拘束しないように、前記光学ブロックに固定され、
前記偏心ピンが前記フロントフレームの側面方向から前記偏心ピン嵌めこみ穴に嵌めこまれ、前記回転ピン部が前記偏心ピン可動穴に嵌めこまれた状態で、前記偏心ピンを回転することによって、前記光学ブロックの光軸周りの傾斜を調整することを特徴とする放送用ポータブルカメラの画像傾斜調整機構。
【発明の詳細な説明】
【技術分野】
【０００１】
本発明は、放送用ポータブルカメラに関わり、特に放送用ポータブルカメラの画像傾斜調整機構に関する。
【背景技術】
【０００２】
図１Ａ、図１Ｂ及び図５によって、従来の放送用ポータブルカメラの画像傾斜調整機構について説明する。図１Ａは、従来の放送用ポータブルカメラの一例を示す斜視図である。また、図１Ｂは、図１Ａの放送用ポータブルカメラの光学ブロックとフロントフレームの分解斜視図である。さらに図５は、画像の傾斜の一例を示す図である。１００はカメラヘッド部、１０１はフロントフレーム、１０２は光学ブロック、１０３はフロントフレーム１０１に光学ブロック１０２を取り付けるための光学ブロック取り付けネジ、１０４は光学ブロック取り付けネジ１０３で光学ブロック１０２を取り付けるためにフロントフレーム１０１に設けられた光学ブロック取り付け用穴、１０５は光学ブロック１０２に光学ブロック取り付けネジ１０３を取り付ける光学ブロック取り付け用穴、１０６はカメラヘッド筺体部、１５１はフロントフレーム１０１をカメラヘッド筺体部１０６に取り付けるためのフロントフレーム固定ネジ、１５２はフロントフレーム固定ネジ１５１でカメラヘッド筺体部１０６に固定するためにフロントフレーム１０１に設けられたフロントフレーム固定ネジ用穴、１５３はフロントフレーム固定ネジ１５１でフロントフレーム１０１を固定するためにカメラヘッド筺体部１０６に設けられたフロントフレーム固定ネジ穴、５０１はモニタ画面に表示された傾斜が無い画像、５０２はモニタ画面に表示された左に角度θ傾斜した画像である。
なお、光学ブロック取り付け用穴１０４は、光学ブロック取り付けネジ１０３に対して、クリアランスを設ける。これに対して、光学ブロック１０２の光学ブロック取り付け用穴１０５は、光学ブロック取り付けネジ１０３がネジ締めできるようにネジ穴が形成されている。
【０００３】
図１Ａ及び図１Ｂは、放送用ポータブルカメラのカメラヘッド部１００だけ示している。放送用ポータブルカメラは、通常、カメラヘッド部１００の背面にカメラアダプタ（ＣＡ）（図示せず）を取り付け、カメラマンが操作する。さらに、スタジオ外で使用する場合には、カメラヘッド部１００の背面にカメラレコーダ（ＣＲ）（図示せず）を取り付け、カメラマンが肩に担ぐ等、持ち運び操作する。
【０００４】
図１において、放送用ポータブルカメラ１００の出荷調整時には、フロントフレーム１０１に、光学ブロック取り付けネジ１０３によって光学ブロック１０２が取り付けられる。取り付け後、カメラヘッド部１００は水平な場所に置かれ、光学ブロック取り付けネジ１０３により光学ブロック１０２を締め付けて固定する。
固定する際に、光学ブロック１０２の傾き（画像傾斜）をモニタで撮像した画像で確認しながら、光学ブロック取り付けネジ１０３を締め付け、光学ブロック１０２を水平に固定する。
例えば、図５の画像傾斜の確認を行う画面の一例に示すように、
モニタ画面に傾きのない画像５０１を表示し、その画像５０１と実際に撮像した画像５０２との傾斜（∠θ）を、調整員が確認する。
【０００５】
なお、光学ブロック１０２の光軸周りの傾きの調整は、フロントフレーム１０１に光学ブロック１０２を仮固定した後、フロントフレーム１０１をカメラヘッド筺体部１０６に、フロントフレーム固定ネジ１５１、フロントフレーム固定ネジ用穴１５２、及びフロントフレーム固定ネジ穴１５３によって固定した後に実行する。そのため、光学ブロック１０２の調整に必要な部分は、フロントフレーム１０１の前面にとび出している。
さらに、出荷後、放送用ポータブルカメラを使用中に光学ブロック取り付けネジ１０３等のネジの緩み等によって、光学ブロック１０２が傾斜していることが確認された場合には、再度画像傾斜を確認しながら光学ブロック取り付けネジ１０３を締め付け、光学ブロック１０２を固定する。
【先行技術文献】
【特許文献】
【０００６】
【特許文献１】特開２００７−３０６４１７号公報
【発明の概要】
【発明が解決しようとする課題】
【０００７】
上述の従来技術の放送用ポータブルカメラのカメラヘッド部１００では、光学ブロック１０２は、フロントフレーム１０１に直接固定する構成となっている。光学ブロック取り付け用穴１０４と光学ブロック取り付けネジ１０３とのクリアランス分での調整であり、調整には熟練した技術が必要であった。さらに、光学ブロック取り付けネジ１０３で直接光学ブロック１０２を締め付けている。このため、ネジの締付時に発生する摩擦や回転により、光学ブロック１０２を固定する位置が、回転方向にずれ易い。このため、調整が難しく、熟練の調整員を必要としていた。
特許文献１は、デジタル一眼レフカメラにおいて、撮像素子が光軸周りに傾いて取り付けられていても、前記撮像素子が光軸周りに回動するようにカメラ本体に回動自在に支持された保持部材と、前記保持部材の回動位置を調整して、前記保持部材に保持された前記撮像素子の光軸周りの傾きを調整する調整手段を備えている。しかし、回転方向の調整がいつでも自由に可能な利点があるが、調整角度が比較的粗く、バックラッシもあり、使用中に簡単にずれる可能性が大きい。また、カメラに比して調整機構の占める容積が大きすぎる問題があった。
本発明では、上記問題に鑑み、熟練した技量が無くとも簡単に光学ブロックの傾き（画像傾斜）の調整ができる放送用ポータブルカメラを提供することを目的とする。
【課題を解決するための手段】
【０００８】
上記目的を達成するために、本発明の放送用ポータブルカメラの画像傾斜調整機構は、光学ブロックの取付け調整を行う部分に、調整板を設け画像傾斜を独立して調整できる構造とした。
さらに、直接光学ブロックを締め上げるのではなく、調整板を介して固定することにより、ネジの締付時に発生する摩擦による光学ブロック位置の狂いを押さえることができる構造とした。
【０００９】
即ち、本発明の放送用ポータブルカメラの画像傾斜調整機構は、フロントフレームに光学ブロックを取り付け、前記光学ブロックの光軸周りの傾斜を調整する放送用のポータブルカメラの画像傾斜調整機構において、前記光学ブロックに対して前記光軸周りに固定されるローテーション調整板と、前記ローテーション調整板を挟み、前記フロントフレームに対して前記光軸周りに固定される調整板固定プレートとを有し、前記調整板固定プレート及び前記ローテーション調整板を介して、前記光学ブロックの光軸周りの傾斜を調整することを特徴とする。
【００１０】
また、上記本発明の放送用のポータブルカメラの画像傾斜調整機構において、前記光学ブロックの前記光軸周りの外周に設けた前記光軸方向に長い長方形の溝と、前記フロントフレームの一方の側面に設けた偏心ピン固定板と、前記ローテーション調整板の前記側面に設けた偏心ピン可動板とを備え、偏心した回転ピン部が前記偏心ピン可動板に設けたピン穴、及び前記溝に嵌まるように前記偏心ピン固定板に固定された調整偏芯ピンを具備し、前記調整偏芯ピンを回転することによって、前記光学ブロックの光軸周りの傾斜を調整することを本発明の第２の特徴とする。
【発明の効果】
【００１１】
本発明によれば、調整板を設けることにより、熟練した技量が無くとも簡単に画像傾斜の調整ができ、調整完了後、固定ネジ締め付けによる光学ブロック位置のずれも小さく固定でき、より正確に、かつ効率良く画像傾斜の調整をすることが可能となる。また、カメラに比して調整機構の占める容積を小さくすることができる。その結果、カメラマンは、ファインダで確認した画像と実際に撮像された画像との間に傾き差が発生せず、カメラマンが意図した画像と異なる画像が撮像されることを防ぐことができる。
【図面の簡単な説明】
【００１２】
【図１Ａ】従来の放送用ポータブルカメラの一例を示す斜視図である。
【図１Ｂ】図１Ａの放送用ポータブルカメラの光学ブロックとフロントフレームの分解斜視図である。
【図２Ａ】本発明の放送用ポータブルカメラの一実施例を示す斜視図である。
【図２Ｂ】図１Ａの放送用ポータブルカメラの光学ブロックとフロントフレームの一実施例の分解斜視図である。
【図３Ａ】図２Ｂの本発明の放送用ポータブルカメラの一実施例の光学ブロックとフロントフレームの斜視図である。
【図３Ｂ】図３Ａの４半分を切り取って内部を示した斜視図である。
【図３Ｃ】図２Ａの本発明の放送用ポータブルカメラの一実施例でフロントフレーム側から見た正面図と断面図、及び、回転傾斜調整部側の側面図を示す図である。
【図４】本発明の放送用ポータブルカメラの画像傾斜調整機構の一実施例を説明するための断面図である。
【図５】画像の傾斜の一例を示す図である。
【発明を実施するための形態】
【００１３】
本発明は、光学ブロックを筺体のフロントフレームに取り付ける際に、偏心ピンを使ってローテーション調整する放送用ポータブルカメラの画像傾斜調整機構に関するものである。
以下、添付図面を参照しながら本発明の実施形態を詳細に説明する。なお、従来例として説明した図１Ａ、図１Ｂ、及び図５を含め、各図の説明において、共通な機能を有する構成要素には同一の参照番号を付し、できるだけ説明の重複を避ける。
【００１４】
以下、本発明の放送用ポータブルカメラの画像傾斜調整機構の一実施例を図２Ａ、図２Ｂによって説明する。図２Ａは、本発明の放送用ポータブルカメラの一実施例を示す斜視図である。また、図２Ｂは、図２Ａの放送用ポータブルカメラの光学ブロックとフロントフレームの分解斜視図である。２００はカメラヘッド部、２０１はフロントフレーム、２０２は光学ブロック、２２１はローテーション調整板、２１１は調整板固定プレート、２０３はローテーション調整板２２１を挟んで調整板固定プレート２１１にフロントフレーム２０１を固定するための調整板固定ネジ、２０４は調整板固定ネジ２０３で光学ブロック２０２を取り付けるためにフロントフレーム２０１に設けられた光学ブロック取り付け用穴、２０５はローテーション調整板２１１に設けられた調整板固定ネジ２０３を通す調整板固定ネジ用穴、２０６はフロントフレーム２０１を調整板固定プレート２１１にネジ固定するための調整板固定ネジ穴、２２２は調整板固定プレート２１１を光学ブロック２０２に固定するための光学ブロック固定ネジ、２２３は光学ブロック固定ネジ２２２を通すためにローテーション調整板２１１に設けられた光学ブロック固定ネジ用穴、２２４はローテーション調整板２１１を光学ブロック２０２にネジ固定するための光学ブロック固定ネジ穴、２４１はフロントフレーム２０１の側面に設けられた偏心ピン固定板、２３１は調整偏心ピン、２３２は偏心ピン固定プレート、２３３は偏心ピン固定プレート２３２を偏心ピン固定板２３０に取り付けるための偏心ピン固定ネジ、２３４は調整偏心ピン２３１の頭部を偏心ピン固定プレート２３２から露出させる回転させるための回転調整用穴、２３５は偏心ピン固定プレート２３２を偏心ピン固定ネジ２３３で偏心ピン固定板２４１に固定するために通すための穴、２３６は調整偏心ピン２３１を嵌めこむために偏心ピン固定板２４１に設けた偏心ピン嵌めこみ穴、２３７は偏心ピン固定ネジ２３３を偏心ピン固定板２４１に固定するための偏心ピン固定ネジ穴、２４２は調整板固定プレート２１１の側面に設けられた偏心ピン可動板、２４３は偏心ピン可動板２４２に設けられた偏心ピン可動穴、２５１は偏心ピン２３１の回転軸である。
【００１５】
図２Ａ及び図２Ｂにおいて、まず、ローテーション調整板２２１は、調整板固定プレート２１１を挟みこんだ状態で、光学ブロック固定ネジ２２２によって、光学ブロック２０２に固定される。光学ブロック固定ネジ用穴２２３の穴径は、光学ブロック固定ネジ２２２がカメラの光軸周りを回転調整可能なクリアランスを設けている。また、光学ブロック固定ネジ２２２は、調整板固定プレート２１１の光軸周りの外側を通っている。このため、調整板固定プレート２１１は、光学ブロック固定ネジ２２２の締め付けによって光軸周りの回転方向に拘束されない。これに対して、光学ブロック２０２の光学ブロック固定ネジ穴２２４は、光学ブロック固定ネジ２２２がネジ締めできるようにネジ穴が形成されている。
【００１６】
次に、フロントフレーム２０１は、ローテーション調整板２２１を挟みこんだ状態で、調整板固定ネジ２０３によって、調整板固定プレート２１１に固定される。光学ブロック取り付け用穴２０４及び調整板固定ネジ用穴２０５の穴径は、調整板固定ネジ２０３がカメラの光軸周りを回転調整可能なクリアランスを設けている。このため、フロントフレーム２０１及び調整板固定プレート２１１は、光学ブロック固定ネジ２２２の締め付けによって光軸周りの回転方向に拘束されない。一方、調整板固定プレート２１１の調整板固定ネジ穴２０６は、光学ブロック固定ネジ２２２がネジ締めできるようにネジ穴が形成され、フロントフレーム２０１及び調整板固定プレート２１１は、光軸周りの回転方向に一体化して回転する。
【００１７】
そして、光学ブロック２０２の光軸周りの傾きの調整は、フロントフレーム２０１に光学ブロック２０２を仮固定した後、フロントフレーム２０１をカメラヘッド筺体部１０６に、図示しないフロントフレーム固定ネジ１５１、フロントフレーム固定ネジ用穴１５２、及びフロントフレーム固定ネジ穴１５３によって、図１Ａ及び図１Ｂと同様に固定した後に実行する。そのため、光学ブロック２０２の調整に必要な部分は、フロントフレーム２０１の前面及び前側面にとび出している。
【００１８】
図２Ａ及び図２Ｂにおいて、フロントフレーム２０１の側面に設けられた偏心ピン固定板２４１はローテーション調整板２２１の側面に設けられた偏心ピン可動板２４２と、偏心ピン嵌めこみ穴２３６及び偏心ピン可動穴２４３に調整偏心ピン２３１が嵌まるように、それらの中心が一致するように配置されている。即ち、フロントフレーム２０１の左側面または右側面には、調整偏心ピン２３１を納めることができるように、偏心ピン可動板２４２及び偏心ピン可動穴２４３が構成され、偏心ピン固定プレート２３２により固定されている。
この調整偏心ピン２３１の頭部はスリット状に加工され、調整員が一般工具によりフロントフレーム２０１に対して回転運動させることができる。またローテーション調整板２２１の左側面または右側面に形成された偏心ピン可動板２４２の溝（偏心ピン可動穴２４３）は、光学ブロック２０２に対し前後方向に構成されている。
【００１９】
この偏心ピン２３１の回転による本発明の画像傾斜調整機構さらに、本発明の放送用ポータブルカメラの画像傾斜調整機構の一実施例を図３Ａ、図３Ｂ、図３Ｃ、及び図４によって説明する。また、図３Ｂは、図３Ａの４半分を切り取って内部を示した斜視図である。また、図３Ｃは、図２Ａの本発明の放送用ポータブルカメラの一実施例でフロントフレーム側から見た正面図と断面図、及び、回転傾斜調整部側の側面図を示す図である。さらに、図４は、本発明の放送用ポータブルカメラの画像傾斜調整機構の一実施例を説明するための断面図である。
３５０は放送用ポータブルカメラの光軸、３５１は光軸３５０周りの回転方向を示す矢印、２５２は偏心ピン２３１の回転軸２５１の回転方向を示す矢印、３７０は放送用ポータブルカメラのフロントフレーム側から見た正面図、３７１は放送用ポータブルカメラの側面図、３８１は放送用ポータブルカメラのＡ−Ａ断面図、３８２は放送用ポータブルカメラのＢ−Ｂ断面図、４５０は調整偏心ピン２３１の回転ピン部部、４５１は回転ピン部４５０の回転方向の移動方向を示す矢印（移動幅：Ｔ）、４７１は偏心ピン２３１を側面から見た側面図である。
【００２０】
調整員は、調整対象の放送用ポータブルカメラを、平らなテーブルに静置し、所定のテストパターンを撮像する。撮像した画像は、図示しないモニタに表示される。調整員は、モニタに表示された画像を見て、画像傾斜があると判断した場合には、調整偏心ピン２３１を回転する。その結果、図３Ａに示すように、調整偏心ピン２３１の回転によって、光学ブロック２０２は、光軸３５０を中心に矢印３５１の方向に回転する。
【００２１】
以下、調整偏心ピン２３１の回転によって、光学ブロック２０２が回転する機構について、図４を主に用いて説明する。
まず、調整員は、調整方法は、調整板固定ネジ２０３を緩める。
次に、調整員は、一般工具によって、調整偏心ピン２３１のスリット状の頭部を回転する。その結果、回転ピン部４５０は中心より偏った距離ｔ分だけ、回転軸２５１を中心に円運動をする。即ち、調整偏心ピン２３１は、回転中心２５１を中心に回転し、その回転によって調整偏心ピン２３１の回転中心から偏心している回転ピン部４５０（４５０’）は、矢印４５１のように回転する。その結果、最大で垂直方向に偏心した距離ｔの２倍（最大距離Ｔ＝２ｔ）移動することができる。この回転ピン部４５０は、ローテーション調整板２２１の偏心ピン可動板２４２に設けた偏心ピン可動穴２４３に嵌まっている。この偏心ピン可動穴２４３は、側面図４７１に示す破線の枠のように横方向（水平方向）に十分長く、垂直方向（高さ方向）には回転ピン部４５０の直径に近い寸法の長方形の溝である。このため、回転ピン部４５０が回転すると、ローテーション調整板２２１は、横方向には移動しないが、高さ方向に力が加わる。この結果、ローテーション調整板２２１は、光軸周りに回転する。
【００２２】
回転調整後、調整員は、再び、所定のテストパターンを撮像する。そして、調整員は、モニタに表示された画像を見て、まだ画像傾斜があると判断した場合には、調整偏心ピン２３１を再び回転し、調整を繰り返す。また、調整員は、モニタに表示された画像を見て、画像傾斜がないと判断した場合には、調整板固定ネジ２０３をしっかりと締め、全体を固定し、調整を終了する。
【００２３】
上述の実施例によれば、放送用のポータブルカメラにおいて、カメラ本体に対して組立時または使用時に起こる光学ブロックの傾き（画像傾斜）を特殊な技量を要することなく、素早く合わせることができる。即ち、熟練の調整員によらず、調整後のずれを心配せず、容易、かつ迅速に、放送用ポータブルカメラの画像傾斜調整が可能となる。
なお、本発明の画像傾斜調整機構は、３板式のカラーカメラ等、放送用ポータブルカメラを対象とした技術であるが、放送用ポータブルカメラに限らず、産業用カメラあるいは単板式カラーカメラでも適用可能である。
【００２４】
以上、本発明を実施例によって詳細に説明した。しかし、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
【符号の説明】
【００２５】
１００：カメラヘッド部、  １０１：フロントフレーム、  １０２：光学ブロック、  １０３：光学ブロック取り付けネジ、  １０４、１０５：光学ブロック取り付け用穴、  １０６：カメラヘッド筺体部、  １５１：フロントフレーム固定ネジ、  １５２：フロントフレーム固定ネジ用穴、  １５３：フロントフレーム固定ネジ穴、  ２００：カメラヘッド部、  ２０１：フロントフレーム、  ２０２：光学ブロック、  ２０３：調整板固定ネジ、  ２０４：光学ブロック取り付け用穴、  ２０５：調整板固定ネジ用穴、  ２０６：調整板固定ネジ穴、  ２１１：調整板固定プレート、  ２２１：ローテーション調整板、  ２２２：光学ブロック固定ネジ、  ２２３：光学ブロック固定ネジ用穴、  ２２４：光学ブロック固定ネジ穴、  ２３１：調整偏心ピン、  ２３２：偏心ピン固定プレート、  ２３３：偏心ピン固定ネジ、  ２３４：回転調整用穴、  ２３５：偏心ピン固定ネジ用穴、  ２３６：偏心ピン嵌めこみ穴、  ２３７：偏心ピン固定ネジ穴、  ２４１：偏心ピン固定板、  ２４２：偏心ピン可動板、  ２４３：偏心ピン可動穴、  ２５１：回転軸、  ２５２：矢印、  ３５０：光軸、  ３５１：矢印、  ３７０：正面図、  ３７１：側面図、  ３８１：Ａ−Ａ断面図、  ３８２：Ｂ−Ｂ断面図、  ４５０：回転ピン部、  ４５１：矢印、  ４７１：偏心ピン２３１を側面から見た側面図。
【図１Ａ】
0005996907.tif 000002
【図１Ｂ】
0005996907.tif 000003
【図２Ａ】
0005996907.tif 000004
【図２Ｂ】
0005996907.tif 000005
【図３Ａ】
0005996907.tif 000006
【図３Ｂ】
0005996907.tif 000007
【図３Ｃ】
0005996907.tif 000008
【図４】
0005996907.tif 000009
【図５】
0005996907.tif 000010